(57)【特許請求の範囲】
【請求項１】
それぞれ基板の実装面に実装され、同一平面に平行して配列された第１の発光素子群および第２の発光素子群と、前記第２の発光素子群の光の照射方向を、前記第１の発光素子群の光の照射方向と異なる方向に変更する変更手段とを有する照明装置と、
前記基板の前記両発光素子群の前記実装面と反対側面が取り付けられる取付板と、前記変更手段により照射方向が変更された前記第２の発光素子群の光を拡散して透過する拡散板とを有するカバー体と
を備えることを特徴とする遊技機。   
【請求項２】
前記変更手段が、前記基板の前記第２の発光素子群の前記実装面側であって前記第１の発光素子群の列と前記第２の発光素子群の列との間に配設され、前記第２の発光素子群の光を反射してその照射方向を変更する変更板を備えることを特徴とする請求項１に記載の遊技機。
【請求項３】
前記基板の前記第１の発光素子群の前記実装面側に、前記第１の発光素子群の各発光素子それぞれを左右から挟み、かつ、前記基板から遠ざかるに連れて拡開して配設され、前記第１の発光素子群の各発光素子の横方向に広がる光をほぼ直進するように反射する複数の第１の反射板と、
前記基板の前記第１の発光素子群の前記実装面側に、前記第１の発光素子群の各発光素子それぞれを上下から挟み、かつ、前記基板から遠ざかるに連れて拡開して配設され、前記第１の発光素子群の各発光素子の縦方向に広がる光をほぼ直進するように反射する複数の第２の反射板と
を備えることを特徴とする請求項１または２に記載の遊技機。
【請求項４】
前記変更板および前記各反射板がユニット化されてケース体を成し、該ケース体が、前記基板の前記両発光素子群の前記実装面側に着脱自在に装着されることを特徴とする請求項３に記載の遊技機。
【請求項５】
前記基板の前記第１の発光素子群の前記実装面側であって、前記第１の発光素子群のいずれか２つの発光素子間に配設された外部接続用コネクタを備えることを特徴とする請求項１ないし４のいずれかに記載の遊技機。
【請求項６】
複数の回転リールおよび操作スイッチを備え、
一方の前記発光素子群は、前記各回転リールの表面を照射するための外部照明用に使用され、他方の前記発光素子群は、遊技者に前記操作スイッチの操作態様を報知するための演出照明用に使用されることを特徴とする請求項１ないし５のいずれかに記載の遊技機。
【発明の詳細な説明】
【技術分野】
【０００１】
本発明は、２方向に光を照射する照明装置を備えるスロットマシンなどの遊技機に関する。
【背景技術】
【０００２】
従来、単一の照明装置が、化粧パネルのバックライトおよびリール照明用の光源に兼用されるパチスロ機等の遊技機が知られている（特許文献１参照）。ところで、リール回転中の演出として、化粧パネルに描かれた特定絵文字を点滅させる場合がある。この場合、単一の照明装置でこのような演出を行おうとすると、リール用の照明まで点滅することになるため、リール図柄が見づらくなるという問題が生じる。また、遊技者がリール図柄を視認しやすいようにリール用の照明を常時点灯させると、上記したリール回転中の演出を実現することができない。
【０００３】
そこで、化粧パネルおよびリール照明用の照明装置をそれぞれ個別に設けるようにしたパチスロ機等の遊技機が提案されている（特許文献２参照）。このように構成すると、遊技者に対するリール図柄の視認性を確保した状態で、化粧パネル側の照明装置の照明を点滅させるなどして多彩な演出を実現することができる。
【先行技術文献】
【特許文献】
【０００４】
【特許文献１】特開２００４−０１６３２１号公報（段落００５８〜００６０、図４等参照）
【特許文献２】特開２００８−０００５２６号公報（段落００６０、図５等参照）
【発明の概要】
【発明が解決しようとする課題】
【０００５】
しかしながら、特許文献２に記載された発明では、各照明装置は、それぞれ別々の場所に分散して配置されているため、各照明装置の設置スペースを遊技機筺体内部に確保する必要がある。したがって、照明装置が設置される装置の設計自由度が制限されるという問題点があった。また、照明装置の部品点数が多くなるので、照明装置の低コスト化を図ることができないという問題点もあった。
【０００６】
本発明は、上記課題に鑑みてなされたものであり、簡素な構成により２方向に光を照射することができる安価でかつ小型の照明装置、およびこの照明装置を備えた遊技機を提供することを目的とする。
【課題を解決するための手段】
【０００７】
上記目的を達成するために、本発明にかかる遊技機は、それぞれ基板の実装面に実装され、同一平面に平行して配列された第１の発光素子群および第２の発光素子群と、前記第２の発光素子群の光の照射方向を、前記第１の発光素子群の光の照射方向と異なる方向に変更する変更手段とを有する照明装置と、前記基板の前記両発光素子群の前記実装面と反対側面が取り付けられる取付板と、前記変更手段により照射方向が変更された前記第２の発光素子群の光を拡散して透過する拡散板とを有するカバー体とを備えることを特徴としている（請求項１）。
【００１０】
また、前記変更手段が、前記基板の前記第２の発光素子群の前記実装面側であって前記第１の発光素子群の列と前記第２の発光素子群の列との間に配設され、前記第２の発光素子群の光を反射してその照射方向を変更する変更板を備えていてもよい（請求項２）。
【００１１】
また、前記基板の前記第１の発光素子群の前記実装面側に、前記第１の発光素子群の各発光素子それぞれを左右から挟み、かつ、前記基板から遠ざかるに連れて拡開して配設され、前記第１の発光素子群の各発光素子の横方向に広がる光をほぼ直進するように反射する複数の第１の反射板と、前記基板の前記第１の発光素子群の前記実装面側に、前記第１の発光素子群の各発光素子それぞれを上下から挟み、かつ、前記基板から遠ざかるに連れて拡開して配設され、前記第１の発光素子群の各発光素子の縦方向に広がる光をほぼ直進するように反射する複数の第２の反射板とを備えていてもよい（請求項３）。
【００１４】
前記変更板および前記各反射板がユニット化されてケース体を成し、該ケース体が、前記基板の前記両発光素子群の前記実装面側に着脱自在に装着されるようにしてもよい（請求項４）。
【００１５】
また、前記基板の前記第１の発光素子群の前記実装面側であって、前記第１の発光素子群のいずれか２つの発光素子間に配設された外部接続用コネクタを備えていてもよい（請求項５）。
【００１６】
また、複数の回転リールおよび操作スイッチを備え、一方の前記発光素子群は、前記各回転リールの表面を照射するための外部照明用に使用され、他方の前記発光素子群は、遊技者に前記操作スイッチの操作態様を報知するための演出照明用に使用されてもよい（請求項６）。
【発明の効果】
【００１７】
請求項１に係る発明によれば、同一平面に配列された同一の方向に照射される第１および第２の発光素子群の光のうち、第２の発光素子群の光の照射方向が、変更手段により第１の発光素子群の光の照射方向と異なる方向に変更されるため、第１および第２の発光素子群の光が、それぞれ異なる方向に照射される。
【００１８】
したがって、単一の照明装置で異なる２方向に光を照射することができるため、光の照射方向の異なる照明装置を個別に設ける従来の構成と比較して、構成を簡素化して照明装置の小型化を図ることができ、安価でかつ小型の照明装置を提供することができる。また、この照明装置を搭載する遊技機の設計自由度の向上を図ることができる。
【００２０】
また、基板の両発光素子群の実装面と反対側面が取り付けられる取付板と、変更手段により照射方向が変更された第２の発光素子群の光を拡散して透過する拡散板とを有するカバー体を備えるため、第２の発光素子群の各発光素子の照射対象が面積の広いものであっても、拡散板による拡散作用により、広範囲にわたって光を照射することができる。また、当該カバー体は、取付板により、凹凸の少ない基板の両発光素子群の実装面と反対側面で取り付けることができるため、容易に基板に取り付けることができる。
【００２１】
請求項２に係る発明によれば、変更手段が備える変更板が、基板の第２の発光素子群の実装面側であって第１の発光素子群の列と第２の発光素子群の列との間に配設されるため、第２の発光素子群の光の照射方向を、容易に第１の発光素子群の光の照射方向と異なる方向に変更することができる。
【００２２】
請求項３に係る発明によれば、第１の発光素子群の各発光素子それぞれから照射される光のうち、横方向に放射状に広がる光を、基板から遠ざかるに連れて拡開して配設された第１の反射板により直進するように導光するとともに、縦方向に放射状に広がる光を、基板から遠ざかるに連れて拡開して配設された第２の反射板により直進するように導光することができるため、第１の発光素子群の各発光素子それぞれから照射される光を直進方向に効率よく照射することができる。
【００２５】
請求項４に係る発明によれば、変更板および各反射板がユニット化されてケース体を成し、該ケース体が、基板の両発光素子群の実装面側に着脱自在に装着されるため、照明装置をより小型化することができる。また、基板とケース体が着脱自在であるため、部品の交換作業を容易に行うことが可能になる。
【００２６】
請求項５に係る発明によれば、基板の第１の発光素子群の実装面側であって、第１の発光素子群のいずれか２つの発光素子間に配設された外部接続用コネクタを備えるため、外基板上の発光素子間の空きスペースを有効に活用してコネクタを配置することができ、外部接続用のコネクタを設けることによる照明装置の大型化を防止することができる。
【００２７】
請求項６に係る発明によれば、一方の発光素子群を各回転リールの表面を照射するための外部照明用に使用し、他方の発光素子群を遊技者に操作スイッチの操作態様を報知するための演出照明用に使用するため、外部照明用および演出照明用それぞれで個別に照明装置を設置する必要がなく、遊技機筺体内部における照明装置の設置スペースを小さくすることができ、遊技機の設計自由度の向上を図ることができる。
【図面の簡単な説明】
【００２８】
【図１】本発明の照明装置を備える遊技機であるスロットマシンの一実施形態の正面図である。
【図２】図１中のＸ−Ｘ’断面図である。
【図３】スロットマシンが備える照明装置を斜め上方側から見た状態示し、（ａ）は組立状態の斜視図、（ｂ）は分解斜視図である。
【図４】照明装置の基板の正面図である。
【図５】照明装置を示し、（ａ）は正面図、（ｂ）は底面図、（ｃ）は平面図、（ｄ）は背面図である。
【図６】照明装置を斜め下方側から見た状態を示し、（ａ）は拡散板を外した状態の斜視図、（ｂ）は組立状態の斜視図である。
【図７】（ａ）は図５（ａ）中のＢ−Ｂ’断面図、（ｂ）は図５（ａ）中のＡ−Ａ’断面図である。
【図８】前面パネルを背面側から見たときの分解斜視図である。
【図９】（ａ）は照明装置の一部の右側断面図、（ｂ）は照明装置を取り付けた状態の前面パネルの右側断面図、（ｃ）は（ｂ）の一部の拡大図である。
【発明を実施するための形態】
【００２９】
図１〜図９を参照して本発明の一実施形態について説明する。
【００３０】
（構成）
まず、図１および図２を参照して、スロットマシン１の構成の概略について説明する。図１はスロットマシン１の正面図である。図２は図１中のＸ−Ｘ’断面図である。
【００３１】
図1に示すように、スロットマシン１は、メダルなどの遊技媒体が規定数投入されることを条件とする遊技者の操作に基づいて一回の遊技が実行されるものであり、筐体の前面が前面パネル２により開閉自在に閉塞され、この前面パネル２のほぼ中央高さの位置に操作板３が配設されると共に、この操作板３の上方に正面板４が配設されている。
【００３２】
そして、この正面板４には横長矩形の表示窓５が設けられ、表示窓５の内側には、複数種類の図柄を予め定められた順序で可変表示する左・中・右リール６が配置されている。各リール６には、例えば「赤７」「白７」「青７」「ＢＡＲ」「チェリー」「ベル」「スイカ」「リプレイ」の複数種類の図柄が合計２１個、所定の配列でそれぞれ設けられている。また、各図柄が印刷されたリールテープがリール６の周面に貼り付けられて各リール６がそれぞれ形成される。そして、各リール６が回転すると、複数の図柄がそれぞれ表示窓５に変動表示される。表示窓５からは、各リール６の回転が停止すると、図柄が上段、中段および下段にそれぞれ１個の合計３個ずつ覗くように設定されている。すなわち、３個すべてのリール６が停止すると、縦３列横３行に配列された合計９個の図柄が表示窓５に停止表示されるようになっている。
【００３３】
また、各リール６をそれぞれ独立して回転駆動できるように、各リール６には、それぞれステッピングモータにより構成されるリールモータ（図示せず）が連結されている。
【００３４】
さらに、操作板３には、内部に貯留されているクレジットメダルから１枚ずつのメダル投入を指示するためのベットスイッチ７、クレジットメダルから１ゲーム（遊技）あたりの最大投入枚数（３枚に設定されている）のメダル投入を指示するための最大ベットスイッチ８、各リール６を回転させて各図柄の可変表示を開始させるレバー状のスタートスイッチ９、左・中・右リール６の回転をそれぞれ停止させて各図柄の可変表示を停止させる左・中・右ストップスイッチ１０Ｌ，１０Ｍ，１０Ｒ、クレジットメダルを払い出すための精算スイッチ１１、およびメダル投入口１２が設けられている。なお、この実施形態では、１ゲームに必要なメダル投入数（規定数）は、３枚の１種類が設定されている。
【００３５】
また、正面板４の上方のほぼ中央には、動画などを表示して遊技者に当選や入賞などを告知する演出を行うための液晶表示器１３が設けられ、液晶表示器１３のすぐ上方には、各種の入賞図柄が表示された説明パネル１４が設けられ、これら液晶表示器１３および説明パネル１４の左右には、音楽などによる演出を行うためのスピーカ１５Ｌ，１５Ｒがそれぞれ設けられている。また、説明パネル１４およびスピーカ１５Ｌ，１５Ｒの上辺には中央ランプ部１６Ｍが配設され、その左右には左・右ランプ部１６Ｌ，１６Ｒがそれぞれ配設されている。各ランプ部１６Ｍ，１６Ｌ，１６Ｒには、それぞれ発光ダイオードなどの光源が配設されている。これらのランプ部１６Ｍ，１６Ｌ，１６Ｒは一体的に形成され、遊技者に当選や入賞を告知するなどの演出を行うための上部ランプ部１６を構成している。
【００３６】
また、正面板４の表示窓５と液晶表示器１３との間の領域において、各リール６それぞれに対応する装飾画などが表示され、この装飾画の表示部分に対応する位置に本発明の照明装置１７が配設されている。なお、照明装置１７の構成については後で詳述する。
【００３７】
また、操作板３の下方には、装飾画などが表示された下部パネル１８が設けられ、この下部パネル１８の左右には、それぞれ複数の光源が例えば２列に並んで配置された下部ランプ部１９Ｌ，１９Ｒが設けられている。また、下部パネル１８の下方には、メダルの払出口２０や、この払出口２０から払い出されるメダルを受けるメダル受け２１が設けられている。また、正面板４には入賞ラインが描かれ、正面板４の左下にはクレジットメダルの貯留枚数を表示するクレジット表示器２２が配設されている。このクレジット表示器２２は、例えば２個の７セグメントＬＥＤで構成され、２桁の貯留枚数（最大で５０枚）が表示可能になっている。
【００３８】
また、図２に示すように、各リール６を支持する支持枠体２３が、筐体内の後壁に固定されている。また、支持枠体２３には各リール６のバックライト２４が支持されており、バックライト２４には、各リール６それぞれに設けられた図柄のうち、表示窓５から遊技者が視認できる９つの図柄（右リール：３つ、中リール：３つ、左リール３つ）それぞれを内部から照明する９つの点光源２５（例えばＬＥＤ）が配設されている。
【００３９】
さらに、図２に示すように、前面パネル２の裏側から、照明装置１７が取り付けられており、この照明装置１７が、上記した装飾画の表示部を正面板４の裏面側から照明するとともに各リール６の表面を外部から照明する。以下に、この照明装置１７について図３〜図９を参照して説明する。
【００４０】
（照明装置）
図３（ａ）は照明装置１７を右斜め上方から見たときの斜視図であり、この照明装置１７は、図３（ｂ）に示すように、前面（実装面）に複数の発光素子（例えばＬＥＤ）が配列実装された基板２６と、基板２６の実装面の上下に配列された複数の発光素子のうち、下側の発光素子から照射される光を上側の発光素子から照射される光と異なる方向に変更するとともに、上側の発光素子から照射される光を直進方向に導光する機能を有するケース体２７と、下側の発光素子から照射される光を透過拡散させる機能を有するカバー体２８とを備える。
【００４１】
まずカバー体２８の構成について説明すると、カバー体２８は、図３（ｂ）に示すように、それぞれ横長矩形状の取付板２８ａと拡散板２８ｂとが直交するように一体形成されて断面Ｌ字状をなしている。取付板２８ａの左右両端には、ケース体２７の左右の両端に形成された後述の被係止部に係止するための鉤状の係止片２８ｃが前方に向かって突出して形成されるとともに、取付板２８ａの左右の両端付近には、ねじの頭が後方に突出しないように平面視で前方に向かって窪んだ凹状のねじ装着部２８ｄが形成されている。さらに、取付板２８ａの前面には、基板２６の後面が当接する３個のボス状の基板支持板２８ｅが等間隔に一体形成され、これら基板支持板２８ｅに基板２６の後面を当接させた状態でねじ止めするためのねじ孔２８ｆが両ねじ装着部２８ｄに透設されている。なお、カバー体２８には、光の透過・拡散が可能な材質を使用するのが望ましく、例えば半透明のプラスチックが好適である。特に、拡散板２８ｂの下面側は光を拡散すべくすりガラス状に形成するとよい。
【００４２】
ケース体２７、基板２６およびカバー体２８は、図３（ｂ）に示すように、ねじＢにより固定されるようになっており、カバー体２８のねじ装着部２８ｄに上記したように形成されたねじ孔２８ｆに対応する基板２６の位置にねじ孔２６ａが２か所透設され、ケース体２７にも、ねじ孔２８ｆ，２６ａに対応する位置に円柱状に後方に突出してねじ固定部２７ａが形成されており、カバー体２８の取付板２８ａの前面側に基板２６を装着し、カバー体２８の係止片２８ｃを基板２６の左右両端部に係止してカバー体２８に基板２６を取り付けるとともに、ケース体２７をカバー体２８の前面側に装着して取付板２８ａの後面側からねじＢをねじ孔２８ｆ，２６ａ、ねじ固定部２７ａに螺合することにより、基板２６、ケース体２７、カバー体２８が一体的に組付け固定される。
【００４３】
続いて、基板２６について説明すると、基板２６は、例えば内部または表面に配線パターンなどが形成されたプリント基板により形成され、図４に示すように、基板２６の一方主面（実装面）に複数個の発光素子２９ａＬ，２９ａＭ，２９ａＲ，２９ｂＬ，２９ｂＭ，２９ｂＲが基板２６の上下の２分する中央の仮想線３２を挟んで上半部に横一列に配列実装されて第１の発光素子群２９を構成し、複数個の発光素子３０ａＬ，３０ａＭ，３０ａＲが基板２６の下半部に横一列に配列実装されて第２の発光素子群３０を構成し、第１の発光素子群２９の左から４個目の発光素子２９ａＬと５個目の発光素子２９ａＭとの間の空きスペースに外部接続用のコネクタ３１が実装されている。このように、第１の発光素子群２９と第２の発光素子群３０は、一枚の基板２６上であって同一平面上の上下に平行して配列されている。
【００４４】
この実施形態では、各発光素子２９ａＬ，２９ａＭ，２９ａＲ，２９ｂＬ，２９ｂＭ，２９ｂＲ，３０ａＬ，３０ａＭ，３０ａＲとして、ＬＥＤ（発光ダイオード）を使用し、発光素子２９ａＬ，２９ａＭ，２９ａＲにはフルカラーＬＥＤを、発光素子２９ｂＬ，２９ｂＭ，２９ｂＲおよび発光素子３０ａＬ，３０ａＭ，３０ａＲには多様な色が発光できるフルカラーＬＥＤに比べ、単一の発光態様であるのでフルカラーＬＥＤよりも白色を高い輝度で鮮明に発光可能な白色ＬＥＤを使用する。以下では、発光素子２９ａＬ、２９ａＭ，２９ａＲをまとめて発光素子２９ａといも言い、発光素子２９ｂＬ，２９ｂＭ，２９ｂＲをまとめて発光素子２９ｂとも言い、発光素子３０ａＬ，３０ａＭ，３０ａＲをまとめて発光素子３０ａとも言う場合がある。なお、コネクタ３１は、発光素子２９ａ，２９ｂ，３０ａの間であれば、どこに配置してもかまわない。
【００４５】
例えば、第１の発光素子群２９の左側のフルカラーＬＥＤからなる各発光素子２９ａＬと白色ＬＥＤからなる発光素子２９ｂＬは左リール６の演出照明に使用され、中央付近のフルカラーＬＥＤからなる各発光素子２９ａＭと白色ＬＥＤからなる発光素子２９ｂＭは中リール６の演出照明に使用され、右側のフルカラーＬＥＤからなる各発光素子２９ａＲと白色ＬＥＤからなる発光素子２９ｂＲは右リール６の演出照明に使用され、コネクタ３１を介して外部から入力される制御信号により、それぞれの照明制御が行われる。
【００４６】
また、第２の発光素子群３０の白色ＬＥＤからなる、左側の２個の発光素子３０ａＬが左リール６の外部照明用に使用され、中央の２個の発光素子３０ａＭが中リール６の外部照明用に使用され、右側の２個の発光素子３０ａＲが右リール６の外部照明用に使用され、コネクタ３１を介して外部から入力される制御信号により、それぞれの照明制御が行われる。
【００４７】
次に、ケース体２７の構成について説明すると、ケース体２７は樹脂成型により加工形成され、図５（ａ）に示すように、ねじＢによりカバー体２８の取付板２８ａ側に取り付けられた状態で、前側（正面側）から第１の発光素子群２９の各発光素子２９ａ，２９ｂがそれぞれ個別に視認可能な開口部が横方向に直線状に並んで形成された構成となっている。このとき、各開口部は、第１の発光素子群２９の各発光素子２９ａ，２９ｂそれぞれを左右から挟むとともに、基板２６から前方に向かって遠ざかるに連れ拡開するよう傾斜して配設された第１の反射板３３ａと、各発光素子２９ａ，２９ｂそれぞれを上下から挟み基板２６から前方に向かって遠ざかるに連れ拡開するよう傾斜して配設された第２の反射板３３ｂとにより形成されている。そして、各発光素子２９ａ，２９ｂの左右に配設された第１の反射板３３ａと上下に配設された第２の反射板３３ｂとが一体的に形成されて開口部を形成している。なお、各反射板３３ａ，３３ｂの表面（開口部の内壁）は鏡面状に形成され、第１の発光素子群２９の各発光素子２９ａ，２９ｂが照射する光をロスなく前方に反射できるようになっている。
【００４８】
このように、第１の発光素子群２９の各発光素子２９ａ，２９ｂの光が前方に向けて略直進するように照射方向が変更されるため、スロットマシン１の遊技の演出において、例えばストップスイッチ１０Ｌ，１０Ｍ，１０Ｒの押し順を、各発光素子２９ａ，２９ｂの発光パターンの制御によって遊技者の報知することができ、例えば最初に押すべきリールに対応する位置に設けられた発光素子２９ａ，２９ｂの点灯パターン（点灯色や点滅状態のパターン）を他と異ならせるなどすることにより、いわゆる押し順ナビの演出を第１の発光素子群２９により行うことができる。
【００４９】
さらに、図５（ｃ）に示すように、ケース体２７には、隣り合う開口部の第１の反射板３３ａ間それぞれにリブ状の補強板２７ｂが一体形成され、第1の反射板３３ａの補強が図られている。そして、左右両端に位置する補強板２７ｂの裏面側に前後方向の中心軸にねじ孔が加工された円柱状の上記ねじ固定部２７ａが一体形成されている。ところで、発光素子２９ａＬと発光素子２９ａＭとの間に配設され基板２６の実装面に実装されたコネクタ３１は、隣り合う第１の反射板３３ａの間のスペースに収納配置されるようになっている。
【００５０】
また、図５（ａ）に示すように、下側の各第２の反射板３３ｂは、第１の発光素子群２９の発光素子２９ａ，２９ｂと第２の発光素子群３０の発光素子３０ａとの間に配設され、上側の第２の反射板３３ｂの前上端部および下側の第２の反射板３３ｂの前上端部が連結状態に形成されるとともに、上側の第２の反射板３３ｂおよび下側の第２の反射板３３ｂの左端および右端並びに隣接する第１の反射板３３ａ間がそれぞれ連結状態に形成されている。そして、図６（ａ）に示すように、下側の第２の反射板３３ｂは略１枚の平板状に形成され、ケース体２７からカバー体２８を取り外した状態で、第２の発光素子群３０の各発光素子３０ａを下方から視認できるようになっている。このとき、下側の平板状の第２の反射板３３ｂの下面側は鏡面に形成されており、第２の発光素子群３０の発光素子３０ａが照射する光の方向を変更する変更手段としての変更板として兼用される。
【００５１】
また、下側の第２の反射板３３ｂの下面側において、各リール６の間に対応する位置に２つの三角形状の遮光板２７ｃが形成されており、これにより、隣接するリール６の照明光どうしが相互干渉することを防止し、各リール毎の照明の光量を維持するとともに、リブ状のこれら遮光板２７ｃにより下側の第２の反射板３３ｂが補強されている。
【００５２】
さらに、図３、図５、図６に示すように、ケース体２７の左右側面を成す平板部には、照明装置１７を前面パネル２の裏面側に取り付けるための断面横向きＨ字状の被係止部２７ｄが左方および右方にそれぞれ突出形成されるとともに、両被係止部２７ｄの後方位置には位置決め用の断面横向きＬ字状の位置決め部２７ｅが形成されている。なお、位置決め部２７ｅは、被係止部２７ｄの少し下後方位置の水平面と該水平面よりも突出が少なく下向きに屈曲した垂直面とを備えている。なお、これら被係止部２７ｄおよび位置決め部２７ｅの作用については後述する。
【００５３】
このように、各反射板３３ａ，３３ｂ、補強板２７ｂ、ねじ固定部２７ａ、遮光板２７ｃなどが樹脂成型により一体形成されることにより、ユニット化されたケース体２７が構成されている。
【００５４】
そして、基板２６およびケース体２７にカバー体２８が取り付けられた状態では、図６（ｂ）に示すように、第２の発光素子群３０の各発光素子３０ａが照射する光の方向が変更板によりほぼ真下方向に変更されるため、発光素子３０ａの光が拡散板２８ｂを通過することにより拡散され、拡散された光が各リール６の表面に向けてほぼ均一に照射され、各リール６を外部から照明することができる。
【００５５】
ところで、反射板３３ａ，３３ｂおよび変更板の作用について図７を参照して説明する。なお、図７（ａ）は、図５（ａ）のＢ−Ｂ’断面図、（ｂ）はＡ−Ａ’断面図である。
【００５６】
ケース体２７の第１の反射板３３ａが第１の発光素子群２９の各発光素子２９ａ，２９ｂそれぞれを左右から挟み、前方に向かって拡開しているため、図７（ａ）に示すように、各開口部のＢ−Ｂ’断面は平面視でほぼ台形状になり、第１の発光素子群２９の各発光素子２９ａ，２９ｂそれぞれは、この台形の中心線と基板２６との交点付近に配置され、そこから前方に向けて放射状に光を照射する。このとき、各発光素子２９ａ，２９ｂからの光のうち、左、右方向に広がる光は、左右の第１の反射板３３ａにより反射され、ほぼ直進方向に照射方向が変更される。
【００５７】
また、第２の反射板３３ｂが第１の発光素子群２９の各発光素子２９ａ，２９ｂそれぞれを上下から挟み、前方に向かって拡開しているため、図７（ｂ）に示すように、各開口部のＡ−Ａ’断面は側面視でもほぼ台形状になり、各発光素子２９ａ，２９ｂからの光のうち、上、下方向に広がる光は、上下の第２の反射板３３ｂにより反射され、ほぼ直進方向に照射方向が変更される。
【００５８】
さらに、第１の発光素子群２９と第２の発光素子群３０とは、基板２６の実装面上の同一平面に配列実装されており、第２の発光素子群３０の各発光素子３０ａは、第１の発光素子群２９の各発光素子２９ａ，２９ｂと同様に光を放射状に照射するが、図７（ｂ）に示すように、第２の発光素子群３０の各発光素子３０ａからの光のうち、変更板として機能する下側の第２の反射板３３ｂの下面により反射された光は、下向きに照射方向が変更され、カバー体２８の拡散板２８ｂにより拡散される。
【００５９】
なお、図７（ｂ）に示すように、第２の発光素子群３０の各発光素子群３０ａは、基板２６の中央の仮想線３２から下端までの矢印ａの範囲における中心位置よりも上側（矢印ｂの長さ＜矢印ｃの長さ）に配置される。この場合、下側の第２の反射板３３ｂと各発光素子３０ａとの距離が近いので、各発光素子３０ａからの光のうち、下側の第２の反射板３３ｂに反射されずに拡散板２８ｂにあたる光の割合を軽減させることができるとともに、反射板３３ｂの作用を受け真下方向に変更される光の割合を多くすることができる。このため、第１の発光素子群２９の各発光素子２９ａ，２９ｂからの光の進路を調整するために反射板３３ｂの形状を調整しても、各発光素子２９ａ，２９ｂの反射板としての機能に対する影響を少なくすることができ、ひいては、設計上の困難性を解消することができる。また、第２の発光素子群３０の各発光素子３０ａと拡散板２８ｂとの距離を長くすることができ、拡散効果が大きくなる。
【００６０】
次に、照明装置１７の取り付けに関して、図８および図９を参照して説明する。なお、図８は、前面パネル２を背面側から見た分解斜視図であり、図９（ａ）は照明装置１７の一部の右側面図、（ｂ）は照明装置１７を取り付けた状態の前面パネル２の右側断面図、（ｃ）は（ｂ）の一部の拡大図である。
【００６１】
スロットマシン１の前面パネル２は、図８に示すように、前面パネルフレーム２ａと、前面パネルフレーム２ａのゆがみを防止するための断面Ｌ字状の補強金具２ｂと、液晶表示器１３および各リール６の前側に配設される中パネルベース２ｃと、それぞれ各リール６の前側に配設される中パネル２ｄ、中パネルシート２ｅ、中パネル補強板２ｆならなる正面板４とを備える。
【００６２】
中パネルベース２ｃおよび補強金具２ｂは、ねじにより前面パネルフレーム２ａに固定される。また、正面板４を構成する中パネル２ｄ、中パネルシート２ｅ、中パネル補強板２ｆは、中パネル２ｄを最前面としてこの順番に配置され、正面板４は、前面パネルフレーム２ａと前面パネルフレーム２ａに取り付けられる部品（上部ランプ部１６やベットスイッチ７等）との間に挟まれることによって固定される。また、前面パネルフレーム２ａに固定される正面板４と中パネルベース２ｃは、前側から正面板４、中パネルベース２ｃの順に並んで配置される。なお、中パネルシート２ｅは絵柄が描いてある樹脂性の薄いシートであり、中パネル２ｄは中パネルシート２ｅの前面を保護する透明樹脂素材で形成され、中パネル補強板２ｆは中パネルシート２ｅの裏面を保護する透明樹脂素材で形成される。
【００６３】
照明装置１７は、図８および図９（ｂ）に示すように、中パネルベース２ｃの上下の中央付近、すなわち、液晶表示器１３と各リール６の間に相当する位置に取り付けられる。このとき、図９（ｂ）および（ｃ）に示すように、中パネルベース２ｃの裏側には、照明装置１７を係止するための係止フック体２ｃ１が後方に突出して一体形成され、照明装置１７のケース体２７の左右両端の被係止部２７ｄの下部に中パネルベース２ｃの係止フック体２ｃｌが係止する。その際、照明装置１７の位置決め用の位置決め部２７ｅが、図９（ｃ）に示す中パネルベース２ｃの係止フック体２ｃｌの下方に後方に突出形成された角状段部Ｄに当接することにより、照明装置１７の中パネルベース２ｃへの取り付け位置が位置決めされた状態で係止フック体２ｃｌの被係止部２７ｄへの係止が行われる。そして、係止フック体２ｃ１の被係止部２７ｄへの係止により、ケース体２７が中パネルベース２ｃに取り付けられ、照明装置１７が前面パネル２に固定される。このとき、照明装置１７は、ケース体２７が正面を向いて前面パネル２に取り付けられる。
【００６４】
なお、補助金具２ｂは、照明装置１７が中パネルベース２ｃに取り付けられた後、照明装置１７の背後から当てがわれてねじ止めされて固定される。そのため、例えば、照明装置１７の基板２６の実装面（前面）に実装されたコネクタ３１を、この実装面と反対側面（背面）に実装するようにした場合には、照明装置１７の背面にコネクタ３１が突出し、照明装置１７の背後に配置される補助金具２ｂとの干渉が生じるという問題が起こり得るが、コネクタ３１を各発光素子２９ａ，２９ｂ，３０ａと同じく基板２６の実装面（前面）に実装することにより、コネクタ３１も照明装置１７の内部に収納配置でき、このような干渉が生じることはない。
【００６５】
以上のとおり、上記した実施形態によれば、単一の照明装置１７で異なる２方向に光を照射することができるため、光の照射方向の異なる照明装置を個別に設ける構成と比較して、構成を簡素化して照明装置１７の小型化を図ることができ、安価でかつ小型の照明装置を提供することができ、照明装置１７を搭載するスロットマシン１の設計自由度の向上を図ることができる。
【００６６】
また、第１の発光素子群２９と第２の発光素子群３０が、１枚の基板２６上に上下に配列実装されるため、両発光素子群２９，３０をそれぞれ個別の基板上に配列実装する場合と比較して、部品点数の削減を図ることができるので、さらに照明装置１７のコストの低減および小型化を図ることができる。
【００６７】
また、第１の発光素子群２９と第２の発光素子群３０とが同一基板２６に上下に平行して配列実装されているため、例えば、第１の発光素子群２９と第２の発光素子群３０との間の下側の第２の反射板３３ｂを反射板と変更板とに兼用することができ、第２の発光素子群３０の光の照射方向を第１の発光素子群２９の光の照射方向と異なる真下方向に変更することができ、変更板の形状を複雑化することなく、容易に第２の発光素子群３０からの光の照射方向を変更することができる。
【００６８】
また、第１の反射板３３ａと第２の反射板３３ｂとを備えるため、第１の発光素子群２９の各発光素子２９ａ，２９ｂそれぞれから放射状に広がって照射される光のうち、左右方向に広がる光を第１の反射板３３ａにより前方にほぼ直進するように照射方向を変更するとともに、上下方向に広がる光を第２の反射板３３ｂにより前方にほぼ直進するように照射方向を変更することができ、これにより、第１の発光素子群２９の各発光素子２９ａ，２９ｂそれぞれから照射される光を前方に効率よく照射することができる。
【００６９】
また、下側の第２の反射板３３ｂを反射板と変更板とに兼用することにより、変更板と反射板３３ａ，３３ｂを個別に設ける必要がなく、照明装置１７をより小型化することができる。
【００７０】
また、第２の発光素子群３０の光は、カバー体２８の拡散板２８ｂを拡散・透過するため、第２の発光素子群３０の照明対象が各リール６のように広面積にわたるものであっても、全面に光を行き渡らせることができる。また、カバー体２８は、取付板２８ａにより、凹凸のない基板２６の実装面と反対側面で取り付けることができるため、容易に基板２６に取り付けることができる。
【００７１】
また、ケース体２７をユニット化したため、照明装置１７のより一層の小型化を図ることができる。
【００７２】
また、ケース体２７、基板２６およびカバー体２８は、ねじＢで固定されているだけであり、ねじＢを外すことにより簡単に取り外すことができる着脱可能な構成であるため、発光素子などの部品交換などを容易に行うことができる。
【００７３】
また、基板２６の実装面側に実装された外部接続用のコネクタ３１が、基板２６上に実装された第１の発光素子群２９の発光素子２９ａＬ，２９ａＭ間の空きスペースに配置されることにより、照明装置１７内部に収納されるため、コネクタ３１が照明装置１７の取り付けの邪魔になることもなく、コネクタ３１を設けることによる照明装置１７の大型化を防止することができる。
【００７４】
また、第１の発光素子群２９の光と第２の発光素子群３０の光をそれぞれ異なる方向に照射することができるため、照明装置１７をスロットマシン１の前面パネル２の裏面側に取り付けることにより、外部からの制御信号により各発光素子２９ａ，２９ｂ，３０ａによる照明制御を行うことで、ストップスイッチ１０Ｌ，１０Ｍ，１０Ｒの押し順ナビ（報知）の演出を実行することができるとともに、第２の発光素子群３０の照射光により各リール６の表面を外部から照明することができる。
【００７５】
このように、単一の照明装置１７で演出のための照明と各リール６の外部照明とを兼用できるため、演出照明用および外部照明用にそれぞれ個別に照明装置を設ける必要がなく、スロットマシン１内における照明装置１７の設置スペース自体を低減することができ、スロットマシン１の設計自由度の向上を図ることができる。
【００７６】
また、第１の発光素子群２９の各発光素子２９ａ，２９ｂおよび第２の発光素子群３０の各発光素子３０ａは、それぞれ発光素子２９ａ，２９ｂ，３０ａ毎に照明制御を行うことができるため、第１の発光素子群２９を演出用に点滅させつつ、第２の発光素子群３０をリール照明用に常時点灯させたりすることが可能になり、一つの光源で演出用とリール照明用の照明を兼用させる従来の構成のように、演出用に照明を点滅させることにより、リール照明用の照明までもが点滅し、リール図柄が見づらくなるという問題が生じることもなく、遊技者が遊技しやすいスロットマシン１を提供することが可能になる。
【００７７】
なお、本発明は上記した実施形態に限定されるものではなく、その趣旨を逸脱しない限りにおいて、上記したもの以外に種々の変更を行うことが可能である。
【００７８】
例えば、上記した実施形態では、第１の発光素子群２９を演出用の照明に使用し、第２の発光素子群３０をリール照明用の照明に使用したが、両発光素子群２９，３０をともに演出用の照明に使用してもかまわない。例えば、ストップスイッチ１０Ｌ，１０Ｍ，１０Ｒの押し順を報知する演出（押し順ナビ）において、停止すべきリール６に対応する第２の発光素子群３０の発光素子３０ａのみを点灯し、残りのリール６に対応する第２の発光素子群３０の発光素子３０ａは消灯して演出してもよい。このようにすることで、遊技者が押すべきストップスイッチ１０Ｌ，１０Ｍ，１０Ｒの順序を容易に把握できるため、遊技者が遊技しやすいスロットマシン１を提供することができる。
【００７９】
また、上記した実施形態において、ケース体２７と前面パネル２の中パネルベース２ｃとを一体形成し、そこに基板２６およびカバー体２８を取り付ける構成であってもかまわない。このように構成することで、中パネルベース側係止部２ｃ１やケース体２７の照明装置側係止部２７ｄなどが不要になり、装置の簡略化を図ることができる。
【００８０】
また、上記した実施形態にかかるスロットマシン１が備える照明装置１７を、スロットマシン１以外の遊技機（たとえば、パチンコ機）に適用することも可能であり、この場合には第１、第２の発光素子群２９，３０をともに演出用に使用すればよい。
【００８１】
また、照明装置１７によるスロットマシン１の演出は、上記した所謂押し順ナビに限られないことはいうまでもない。
【符号の説明】
【００８２】
１…スロットマシン（遊技機）、６…リール（回転リール）、１０Ｌ，１０Ｍ，１０Ｒ…ストップスイッチ（操作スイッチ）、１７…照明装置、２６…基板、２７…ケース体、２８…カバー体、２８ａ…取付板、２８ｂ…拡散板、２９…第１の発光素子群、３０…第２の発光素子群、３１…コネクタ、３３ａ…第１の反射板、３３ｂ…第２の反射板（変更手段）
【図１】
0005678902.tif 000002
【図２】
0005678902.tif 000003
【図３】
0005678902.tif 000004
【図４】
0005678902.tif 000005
【図５】
0005678902.tif 000006
【図６】
0005678902.tif 000007
【図７】
0005678902.tif 000008
【図８】
0005678902.tif 000009
【図９】
0005678902.tif 000010